(57)【要約】【課題】  頑健かつ不動の固定を単純かつ安価な製造と結合し、さらにアームの正しい位置決めを簡単に達成する、爪形アームを提供する。【解決手段】  枢軸（４）を中心に調整可能である調整可能部分（２、３）がフレーム（１）内に埋め込まれた、ベッドまたは椅子のような家具。リニアドライブ内に摺動要素として構成されたスピンドルナットと係合するように意図された爪形アーム（５）が、調整可能部分の調整のために枢軸（４）に固定される。爪形アーム（５）は、平板状材料から単純な打抜きおよび曲げ工程により作成される。枢軸（４）におけるアーム（５）の適正かつ安定した固定の可能性が達成されるので、アームの２つの脚（１３ａ、１３ｂ）の正確な相互位置が得られる。【選択図】  図３
2009526577.tif 000002
【特許請求の範囲】
【請求項１】
回動可能な調整可能部分（２、３）がフレーム（１）内に埋め込まれ、リニアアクチュエータ内で摺動要素として設計されたスピンドルナット（１２）と係合するように意図された２つの脚（１３ａ、１３ｂ）を持つ爪形アーム（５、７）が前記部分（２、３）を調整するために枢軸（４、６）に固定された、ベッドまたは椅子のような家具であって、前記爪形アーム（５、７）が１つの要素として平板状材料から切り抜かれて曲げ加工されることを特徴とする家具。
【請求項２】
前記枢軸（４、６）用の前記爪形アームの上端に切欠き（１５）があることを特徴とする、請求項１に記載の家具。
【請求項３】
前記切欠き（１５）が前記枢軸（４、６）の外径に対応する半円形であることを特徴とする、請求項２に記載の家具。
【請求項４】
前記爪形アームの前記上部に、前記枢軸（４、６）と平行に走る直線状平板要素（１４）を有することを特徴とする、請求項１に記載の家具。
【請求項５】
前記切欠き（１５）が非常に深く、かつ、少なくとも前記直線状平板要素（１４）が前記軸（４、６）と平行に伸びると共に少なくとも上縁が前記軸（４、６）に当接するように位置付けられることを特徴とする、請求項２および４、または請求項３および４に記載の家具。
【請求項６】
前記爪形アームの前記上部の片側に、相互に向かって折り曲げられたフラップを有することを特徴とする、請求項１または４に記載の家具。
【請求項７】
２つのフラップの端が接合して一体に溶接されることを特徴とする、請求項３に記載の家具。
【請求項８】
前記爪形アーム（５、７）が鋼製であり、その前記脚（１３ａ、１３ｂ）が硬化されることを特徴とする、請求項１に記載の家具。
【発明の詳細な説明】
【技術分野】
【０００１】
本発明は、請求項１の前提部分に記載のベッドまたは椅子のような家具に関する。
【背景技術】
【０００２】
本発明の説明のために、フレームに埋め込まれた調整可能なバックレストおよびレッグレスト部を持つベッドを取り扱った、Cimosys LimitedのWO03/045195A1を参照する。バックレスト部を回動して上昇させるために、フレームに埋め込まれた横枢軸があり、前記枢軸は各端にレバーを有し、該レバーは端でバックレスト部と係合する。同様に、レッグレスト部を動かすための枢軸およびレバーがある。各端にリニアドライブを持つ駆動ユニットが２つの枢軸に取り付けられる。前記リニアドライブは、摺動要素として設計されたナット付きのスピンドルを有する。摺動要素は、それぞれの枢軸に固定された短いアームと係合される。アームは爪形であり、摺動要素の端を向いてスピンドル上に跨座する。従来、アームは、枢軸上に相互に特定の距離を置いて別々に溶接された２つの個別板状要素から構成される。例えばCompact srl.のUS6300732B1を参照されたい。アームの２つの板状要素を軸上に正しい角度および距離で、かつそれらの間に相互に正しい距離を置いて配置することは、機能のために決定的に重要である。この問題はとりわけ、正しい相互距離を確実にするために、２つの板状要素の間に離隔部品（distance part）が挿入された、Standswerk Wetter Sichelschmidt GmbH & Co.KGのDE20315919U1の目的である。その後、Standswerk Wetter Sichelschmidt GmbH & Co.KGはDE20309044U1で、爪形アームを鍛造品として構成することを提案した。それは要求がかなり厳しい。アームは重荷重を受けるので、アームを枢軸に頑健かつ強固に固定することも、さらなる問題である。
【特許文献１】WO03/045195A1
【特許文献２】US6300732B1
【特許文献３】DE20315919U1
【特許文献４】DE20309044U1
【発明の開示】
【０００３】
本発明の目的は、頑健かつ不動の固定を単純かつ安価な製造と結合し、さらにアームの正しい位置決めを簡単に達成する、爪形アームを提供することである。
【０００４】
これは、本発明に従って、爪形アームが平板状材料から切り出され折り曲げられた単一の構成部品として提供される、請求項１に記載の実施形態により達成される。これは単純かつ安価な製造方法であり、それは同時に、軸への優れた溶接の可能性をもたらす。同時に、爪状アームの２つの脚の間の正しい距離が確保される。
【０００５】
好適な実施形態では、爪形アームの上端に、枢軸を受容するための切欠きがあり、それはアームを枢軸上に配置することを容易にする。好ましくは、切欠きは枢軸の外径に対応する半円状であり、長い接触面が枢軸に安定して固定するための適正な基礎をもたらすという追加の利点を有する。さらなる実施形態では、爪形アームの上部には、枢軸と平行に走る直線状の平板があり、それは爪形アームを枢軸に固定するための代替物をもたらす。単数または複数の切欠きが非常に深くかつ直線状平板要素が軸に当接するように配置された場合、これは爪形アームを枢軸に固定するための追加的可能性を提供する。
【０００６】
爪形アームの上部を剛性にするために、脚がそこから伸出するサイド部材は、相互に向かって折り曲げられるサイドフラップを持つことができる。また、直線状平板要素を有し、フラップはこれと平行に走る。２つのフラップの端を接合し、一体に溶接することによって、さらなる剛性を得ることができる。
【０００７】
さらなる好適な実施形態では、爪形アームの脚は硬化され、それは摺動要素との係合による摩耗を最小化するが、上部は硬化されず、それは溶接を容易にする。
【発明を実施するための最良の形態】
【０００８】
本発明の実施形態を以下で、添付の図面を参照しながら、より詳細に説明する。
【０００９】
図１から分かるように、スラットベッドは、バックレスト部２および関着レッグレスト部３が埋め込まれたフレーム１を備える。バックレスト部２用に、短いアーム５が固設された横枢軸４が、フレーム内に埋め込まれる。相応して、レッグレスト部用に、短いアーム７を持つ軸６がある。
【００１０】
バックレストおよびレッグレスト部２、３の動作は、図２に示すデュアルリニアアクチュエータの範疇に入る駆動ユニットによる得られる。駆動ユニットは、各端にスライドカバー９を持つハウジング８を備え、前記カバーはそれぞれの枢軸４、６用の開口１０へのアクセスをもたらす。軸開口１０と接続するように、ハウジングに対して直角に取り付けられたモータ１１によって駆動されるリニアドライブが存在する。ウォームギアを介して、モータは、摺動要素１２として設計されたスピンドルナットを伴うスピンドルを駆動する。摺動要素はハウジング８内に回転不能に取り付けられ、スピンドルの回転によって摺動要素１２は、スピンドルの回転方向に応じて前後に移動する。バックレスト部の枢軸４上のアーム５が摺動要素１２の端に係合すると、バックレスト部が枢動的にそれぞれ上下動する。相応して、駆動ユニットの他端のリニアドライブはレッグレスト部を操作する。
【００１１】
カバー９を駆動ユニットの端から外側に引き、枢軸４、６が駆動ユニット内に位置する開口１０およびアーム５、７内に静止するまで駆動ユニットを導くことによって、駆動ユニットはスラットベッドに取り付けられる。カバー９を再び閉じると、それによってアクチュエータは枢軸４、６に懸架される。リニアドライブが起動されると、それぞれのリニアドライブの摺動要素１２がアーム５、７に係合しているので、枢軸は回転し、それがバックレストおよびレッグレスト部それぞれを上昇または下降させる。
【００１２】
図３および４から分かるように、バックレスト部２の枢軸４のアーム５は、単一構成部品として平板状要素から１回の操作で打ち抜かれて折り曲げられる。前記アームは２つの脚１３ａ、１３ｂを持つ爪として設計され、頂部が相互接続要素１４によって接続される。脚の頂部１３ａ、１３ｂには、管状の枢軸１を受容するための半円形切欠き１５が存在する。爪は、切欠き１５に沿って、かつ相互接続要素１４の上縁によって、枢軸１に溶接される。
【００１３】
相互接続要素１４の反対側で、脚は、相互に対し曲げられて対応する相互接続要素を形成する２つのフラップを持つことができ、それは一つには脚を安定化させるのに役立つが、軸４に対するさらなる溶接の可能性をももたらす。
【００１４】
レッグレスト部の枢軸６のアーム７は、相応して構成される。
【００１５】
こうして、本発明により、爪形アームは単純な打抜きおよび曲げ工程により作成され、前記アームは、適切な綱溶接によって頑健かつ強固に枢軸に固定することができる。さらに、脚部１３ａ、１３ｂは、ドライブの摺動要素１２との係合によって生じる摩耗に耐えるように、硬化することができる。
【００１６】
最後に、バックレストおよびレッグレスト部２、３の調整のために、駆動ユニット８は、ケーブル接続されたリモートコントロール１６のみならず、ＩＲリモートコントロール１７のみならずによっても操作することができる。
【図面の簡単な説明】
【００１７】
【図１】図１は、バックレストおよびレッグレスト部が持上げられた状態スラットベッドを示す図である。
【図２】図２は、デュアルアクチュエータの斜視図を示す図である。
【図３】図３は、枢軸に取り付けられた爪形アームの斜視図である。
【図４】図４は、摺動要素として構成されたアクチュエータ内のスピンドルナットと係合した爪形アームを示す図である。
【図１】
2009526577.tif 000003
【図２】
2009526577.tif 000004
【図３】
2009526577.tif 000005
【図４】
2009526577.tif 000006
【国際調査報告】
2009526577.tif 000007
2009526577.tif 000008
2009526577.tif 000009